【手続補正書】
【提出日】平成21年7月28日(2009.7.28)
【手続補正１】
【補正対象書類名】特許請求の範囲
【補正対象項目名】全文
【補正方法】変更
【補正の内容】
【特許請求の範囲】
【請求項１】
字幕データを含んだデジタル放送データであって、前記字幕データとして、前記デジタル放送データから生成される番組映像データに合成表示する表示用字幕データを生成するために用いられる字幕文データと字幕管理データとが、異なるタイミングで送信されるデジタル放送データ、を受信する受信手段と、
前記受信手段で受信した前記デジタル放送データから、前記字幕文データと前記字幕管理データとを分離して取得する取得手段と、
前記取得手段で既に取得されている、現在視聴中の番組映像データに対応する字幕文データから、前記表示用字幕データを生成するための字幕管理データが、前記取得手段により取得されているか否かを判定する判定手段と、
前記判定手段によって、前記字幕管理データが取得されていないと判定された場合、前記既に取得されている字幕文データを用いた予測処理によって予測字幕管理データを生成する予測手段と、
前記予測手段で生成された前記予測字幕管理データと、前記既に取得されている字幕文データとを用いて、前記現在視聴中の番組映像データに合成表示する表示用字幕データを生成する生成手段と、を有する、ことを特徴とするデジタル放送受信装置。
【請求項２】
前記取得手段が取得した、視聴中の番組映像データに対応する字幕管理データと、当該視聴中の番組映像データに対応する放送チャンネルを示すサービス番号とを関連づけて蓄積部に格納する設定手段をさらに有し、
前記予測手段は、前記判定手段により前記字幕管理データが取得されていないと判定されており、かつ、前記既に取得されている字幕文データを用いた前記予測処理では前記予測字幕管理データの生成ができないと判定される場合、前記蓄積部に蓄積された前記字幕管理データのうち、前記現在視聴中の番組映像データに対応する放送チャンネルのサービス番号に対応する字幕管理データを前記蓄積部から取得し、取得した前記字幕管理データを用いた予測処理により、前記予測字幕管理データを生成することを特徴とする請求項１に記載のデジタル放送受信装置。
【請求項３】
前記設定手段は、前記蓄積部に格納されている前記字幕管理データを、前記取得手段が新たに取得した前記字幕管理データを用いて更新する処理を実行することを特徴とする請求項２に記載のデジタル放送受信装置。
【請求項４】
前記予測手段は、前記字幕文データに含まれる字幕文を、前記予測処理により生成した前記予測字幕管理データを用いて適切に合成表示することが可能か否かを評価する評価処理を実行し、前記字幕文を適切に合成表示することができないと評価された場合、前記字幕文の文字サイズ、文字間隔、表示領域サイズの少なくとも１つを、適切に合成表示できるような値に変更する処理を実行することを特徴とする請求項３に記載のデジタル放送受信装置。
【請求項５】
字幕データを含んだデジタル放送データであって、前記字幕データとして、前記デジタル放送データから生成される番組映像データに合成表示する表示用字幕データを生成するために用いられる字幕文データと字幕管理データとが、異なるタイミングで送信されるデジタル放送データ、を受信する受信部を有するデジタル放送受信装置の制御方法であって、
前記受信部で受信した前記デジタル放送データから、前記字幕文データと前記字幕管理データとを分離して取得する取得工程と、
前記取得工程において既に取得されている、現在視聴中の番組映像データに対応する字幕文データから、前記表示用字幕データを生成するための字幕管理データが、前記取得工程において取得されているか否かを判定する判定工程と、
前記判定工程において、前記字幕管理データが取得されていないと判定された場合、前記既に取得されている字幕文データを用いた予測処理によって予測字幕管理データを生成する予測工程と、
前記予測工程で生成された前記予測字幕管理データと、前記既に取得されている字幕文データとを用いて、前記現在視聴中の番組映像データに合成表示する表示用字幕データを生成する生成工程と、を有する、ことを特徴とするデジタル放送受信装置の制御方法。
【請求項６】
前記取得工程において取得された、視聴中の番組映像データに対応する字幕管理データと、当該視聴中の番組映像データに対応する放送チャンネルを示すサービス番号とを関連づけて蓄積部に格納する設定工程をさらに有し、
前記予測工程では、前記判定工程において前記字幕管理データが取得されていないと判定されており、かつ、前記既に取得されている字幕文データを用いた前記予測処理では前記予測字幕管理データの生成ができないと判定される場合、前記蓄積部に蓄積された前記字幕管理データのうち、現在視聴中の番組映像データに対応する放送チャンネルのサービス番号に対応する字幕管理データを前記蓄積部から取得し、取得した前記字幕管理データを用いた予測処理により、前記予測字幕管理データを生成することを特徴とする請求項５に記載のデジタル放送受信装置の制御方法。
【請求項７】
前記設定工程は、前記蓄積部に格納されている前記字幕管理データを、前記取得工程において新たに取得された前記字幕管理データを用いて更新する処理を実行する工程を有することを特徴とする請求項６に記載のデジタル放送受信装置の制御方法。
【請求項８】
前記予測工程は、
前記字幕文データに含まれる字幕文を、前記予測処理により生成した前記予測字幕管理データを用いて適切に合成表示することが可能か否かを評価する工程と、
前記字幕文を適切に合成表示することができないと評価された場合、前記字幕文の文字サイズ、文字間隔、表示領域サイズの少なくとも１つを、適切に合成表示できるような値に変更する処理を実行する工程とを有することを特徴とする請求項７に記載のデジタル放送受信装置の制御方法。
【手続補正２】
【補正対象書類名】明細書
【補正対象項目名】０００６
【補正方法】変更
【補正の内容】
【０００６】
上記の目的を達成するために、本発明の実施形態におけるデジタル放送受信装置は、字幕データを含んだデジタル放送データであって、字幕データとして、デジタル放送データから生成される番組映像データに合成表示する表示用字幕データを生成するために用いられる字幕文データと字幕管理データとが、異なるタイミングで送信されるデジタル放送データ、を受信する受信手段と、受信手段で受信したデジタル放送データから、字幕文データと前記字幕管理データとを分離して取得する取得手段と、取得手段で既に取得されている、現在視聴中の番組映像データに対応する字幕文データから、表示用字幕データを生成するための字幕管理データが、取得手段により取得されているか否かを判定する判定手段と、判定手段によって、前記字幕管理データが取得されていないと判定された場合、既に取得されている字幕文データを用いた予測処理によって予測字幕管理データを生成する予測手段と、予測手段で生成された予測字幕管理データと、既に取得されている字幕文データとを用いて、現在視聴中の番組映像データに合成表示する表示用字幕データを生成する生成手段と、を有する、ことを特徴とする。
【手続補正３】
【補正対象書類名】明細書
【補正対象項目名】０００７
【補正方法】変更
【補正の内容】
【０００７】
上記の目的を達成するために、本発明の他の実施形態におけるデジタル放送受信装置の制御方法は、字幕データを含んだデジタル放送データであって、字幕データとして、デジタル放送データから生成される番組映像データに合成表示する表示用字幕データを生成するために用いられる字幕文データと字幕管理データとが、異なるタイミングで送信されるデジタル放送データ、を受信する受信部を有するデジタル放送受信装置の制御方法であって、受信部で受信したデジタル放送データから、字幕文データと字幕管理データとを分離して取得する取得工程と、取得工程において既に取得されている、現在視聴中の番組映像データに対応する字幕文データから、表示用字幕データを生成するための字幕管理データが、取得工程において取得されているか否かを判定する判定工程と、判定工程において、前記字幕管理データが取得されていないと判定された場合、既に取得されている字幕文データを用いた予測処理によって予測字幕管理データを生成する予測工程と、予測工程で生成された予測字幕管理データと、既に取得されている字幕文データとを用いて、現在視聴中の番組映像データに合成表示する表示用字幕データを生成する生成工程と、を有する、ことを特徴とする。